(57)【要約】【課題】  簡易な構成で感光材料の端辺に付着した紙粉を除去することのできるマガジンを提供する。【解決手段】  搬送ローラ対５２は、回転軸５３及びニップ部材５５を含んで構成されている。回転軸５３は、感光性記録紙３４の搬送方向Ｄと直交する方向に配置され、ニップ部材５５は、回転軸５３の、感光性記録紙３４を幅方向の端辺Ｈよりも内側で挟持する位置に２個取り付けられている。紙粉除去ローラ対５４は、回転軸５７及びニップ部材５９を含んで構成されている。回転軸５７は、搬送ローラ対５２の回転軸５３と平行に配置され、ニップ部材５９は、回転軸５７に取り付けられている。ニップ部材５９は、感光性記録紙３４の幅Ｗよりも長尺とされ、感光性記録紙３４を端辺Ｈを含んで挟持可能とされている。【選択図】  図４
2006235537.tif 000002
【特許請求の範囲】
【請求項１】
巻芯に巻回された感光材料を収納可能なマガジン本体と、
前記マガジン本体の一部を構成し、感光材料を前記マガジン本体へ出し入れ可能なように開閉する蓋部材と、
前記マガジン本体内に配置され、前記感光材料を幅方向の端辺よりも内側で挟持しつつ前記マガジン本体の外側へ向かって搬送する搬送ローラと、
前記搬送ローラよりも前記搬送方向下流側の前記マガジン本体内に配置され、前記感光材料を幅方向の端辺を含んで挟持しつつ前記マガジン本体の外側へ向かって搬送する紙粉除去ローラと、
を備えたマガジン。
【請求項２】
前記搬送ローラ及び前記紙粉除去ローラへ、同一の駆動源からの駆動力を伝達する駆動力伝達部材、を備えたことを特徴とする請求項１に記載のマガジン。
【請求項３】
前記搬送ローラ及び前記紙粉除去ローラの各々は、前記蓋部材に取り付けられた蓋側ローラ、及び、前記マガジン本体の前記蓋部材と異なる位置に取り付けられた本体側ローラで構成され、
前記蓋部材の開放時に前記搬送ローラ及び前記紙粉除去ローラの前記蓋側ローラと前記本体側ローラとが離間され、前記蓋部の閉鎖時に前記搬送ローラ及び前記紙粉除去ローラの前記蓋側ローラと前記本体側ローラとが接触すること、
を特徴とする請求項１または請求項２に記載のマガジン。
【発明の詳細な説明】
【技術分野】
【０００１】
本発明は、感光材料を収納可能とされ、画像形成装置に装填されるマガジンに関する。
【背景技術】
【０００２】
巻芯に巻回されたロール状の感光材料を収納したマガジンを装填して、感光材料をマガジンから順次送り出して露光する画像形成装置が従来より知られている。
【０００３】
ところで、マガジンに収納される感光材料には、製造工程で紙粉が付着しているが、この紙粉が画像形成装置のプロセサ内に搬送されると、プロセサ内の処理液中で紙粉がヘドロ状になり、循環フィルタを詰まらせるなどの不都合が生じてしまう。
【０００４】
紙粉は特に感光材料の幅方向の端辺付近に集中している。そこで、特許文献１に記載の技術では、布部材をロール状の感光材料の側端に常に接触するように配置して、紙粉を除去している。しかしながら、特許文献１に記載の技術では、布部材が常に感光材料の側端に接触するように位置精度を出すことが難しく、布部材の擦れによる摩耗、布部材に付着した紙粉の除去が困難であるという問題もある。
【特許文献１】特開平１１−００７０７９号公報
【発明の開示】
【発明が解決しようとする課題】
【０００５】
本発明は上記事実を考慮してなされたものであり、簡易な構成で感光材料の端辺に付着した紙粉を除去することのできるマガジンを提供することを目的とする。
【課題を解決するための手段】
【０００６】
上記課題を解決するために、本発明のマガジンは、巻芯に巻回された感光材料を収納可能なマガジン本体と、前記マガジン本体の一部を構成し、感光材料を前記マガジン本体へ出し入れ可能なように開閉する蓋部材と、前記マガジン本体内に配置され、前記感光材料を幅方向の端辺よりも内側で挟持しつつ前記マガジン本体の外側へ向かって搬送する搬送ローラと、前記搬送ローラよりも前記搬送方向下流側の前記マガジン本体内に配置され、前記感光材料を幅方向の端辺を含んで挟持しつつ前記マガジン本体の外側へ向かって搬送する紙粉除去ローラと、を備えている。
【０００７】
本発明のマガジンでは、紙粉除去ローラが感光材料の幅方向の端辺を挟持しているので、端辺付近に付着している紙粉が紙粉除去ローラ側に付着されて、感光材料の紙粉を除去することができる。
【０００８】
また、搬送ローラは、感光材料を幅方向の端辺よりも内側で挟持して搬送しているので、端辺を挟持して搬送する場合と比較して、搬送される感光材料のスキューを起きにくくすることができる。また、紙粉除去ローラは感光材料を端辺を含んで挟持しているが、搬送ローラよりも搬送方向下流側に配置されている。そして、感光材料は、搬送ローラにより挟持されて安定した状態で紙粉除去ローラに挟持されている。したがって、単独の搬送ローラで感光材料の端辺を挟持する場合と比較して、感光材料のスキューを起こりにくくすることができる。
【０００９】
また、紙粉除去ローラは、マガジン本体内に配置されているので、感光材料の搬送経路の最上流部で紙粉を除去することができ、画像形成装置内の紙粉によるトラブルを防止することができる。
【００１０】
また、マガジンは感光材料を出し入れするための開閉可能な蓋部材を有しているので、ユーザーは紙粉除去ローラに容易にアクセスでき、特別なアクセスのための機構を設けることなくメンテナンス等を行なうことができる。
【００１１】
請求項２に記載の発明は、請求項１に記載の発明において、前記搬送ローラ及び前記紙粉除去ローラへ、同一の駆動源からの駆動力を伝達する駆動力伝達部材、を備えたことを特徴とするものである。
【００１２】
上記構成によれば、搬送ローラ及び紙粉除去ローラが同一の駆動源で駆動されるので、搬送ローラと紙粉除去ローラとを同期させることができ、感光材料のジャムを抑制することができる。
【００１３】
請求項３に記載の発明は、請求項１または請求項２に記載の発明において、前記搬送ローラ及び前記紙粉除去ローラの各々は、前記蓋部材に取り付けられた蓋側ローラ、及び、前記マガジン本体の前記蓋部材と異なる位置に取り付けられた本体側ローラで構成され、前記蓋部材の開放時に前記搬送ローラ及び前記紙粉除去ローラの前記蓋側ローラと前記本体側ローラとが離間され、前記蓋部の閉鎖時に前記搬送ローラ及び前記紙粉除去ローラの前記蓋側ローラと前記本体側ローラとが接触すること、を特徴とするものである。
【００１４】
上記構成によれば、蓋部材の開放時に蓋側ローラと本体側ローラとが離間されるので、両ローラに付着した紙粉を容易に取り除くことができる。
【発明の効果】
【００１５】
本発明は上記構成としたので、簡易な構成で感光材料の端辺に付着した紙粉を除去することができる。
【発明を実施するための最良の形態】
【００１６】
以下、図面を参照しながら本発明の実施形態について説明する。
【００１７】
図１に示すように、本発明のマガジン５０が装填される画像形成装置１０は、画像入力装置１２、画像処理装置１３、プリンタ１５及びプロセサ１６を備えている。画像形成装置１０を構成する各部は、図示しない配線を介して制御部１７に接続されており、この制御部１７によって画像形成装置１０全体の動作が制御される。
【００１８】
画像入力装置１２は、写真フィルムに記録された画像の投影光をＣＣＤイメージセンサなどの撮像素子を用いて光電的に読み取ることで画像データを生成し、あるいはメモリカードなどの記録媒体に記録された画像データを読み出すことで、画像データを取得する。この画像データは画像処理装置１３に送られ、カラーバランス補正や濃度補正などの画像処理が行われる。画像処理が行われた画像データはプリンタ１５に送られ、後述する画像記録時に用いられる。
【００１９】
プリンタ１５は、所定長にカットされたカット記録紙３４Ｓを搬送しながら、画像データに基づいて強度変調された記録光にて画像記録を行うものであり、搬送方向の上流側から、供給部２０、裏印字部２２、レジスト部２４、画像記録部２６、副走査受け部２８、を備える。各部位には、駆動ローラとニップローラとから構成される搬送ローラ対が、カット記録紙３４Ｓの搬送路に沿って複数設けられている。
【００２０】
供給部２０には、ロール状に巻かれた長尺の感光性記録紙３４を収容するマガジン５０がセットされている。
【００２１】
マガジン５０の出口５０Ａから所定長だけ離れた位置には、感光性記録紙３４を切断するためのカッタ３６が備えられている。カッタ３６は、制御部１７からの制御信号を受けて駆動し、プリントサイズに合わせて所定長だけ送り出された感光性記録紙３４を切断してカット記録紙３４Ｓを形成する。
【００２２】
裏印字部２２は、写真の撮影日、プリント日、コマ番号、各種ＩＤなどのプリント情報を、カット記録紙３４Ｓの非記録面（露光面と反対側の面）に記録する裏印字装置３７を備える。裏印字装置３７は、裏印字ヘッド３８とプラテン３９とで構成されており、裏印字ヘッド３８としては、後に行われる湿式の現像処理に耐性のあるものであればドットインパクトヘッド、インクジェットヘッド、熱転写プリントヘッドなどの公知のプリントヘッドを用いることができる。
【００２３】
レジスト部２４は、画像記録部２６における露光位置・角度ズレを防止するために、カット記録紙３４Ｓの傾き及び幅方向の位置を調整するレジスト用ローラ対４０と、このレジスト用ローラ対４０の前後に配置される複数の搬送ローラ対から構成される。レジスト用ローラ対４０による傾き及び幅方向位置を調整する方法は、チルトレジスト、トップレジスト、及びサイドレジストなどの公知の方法を用いることができる。
【００２４】
画像記録部２６は、露光ユニット４２、副走査ロ―ラ対４４、４６と、カット記録紙３４Ｓの通過を検出する記録紙センサ４５とから構成され、制御部１７によって動作制御される。露光ユニット４２は、画像処理装置１３と接続されており、カット記録紙３４Ｓの先端が通過したことを記録紙センサ４５が検出すると、画像データに基づいて強度変調された赤、緑、青の光ビームＬＢを主走査方向（搬送方向と直交する方向）に走査して、カット記録紙３４Ｓに画像を記録する。
【００２５】
副走査ローラ対４４、４６は、光ビームＬＢによる露光位置を挟むように搬送方向の上流側及び下流側に配置され、カット記録紙３４Ｓを所定の画像形成速度で副走査方向（搬送方向と平行な方向）に搬送する。これにより、カット記録紙３４Ｓは、所定の画像形成速度で搬送されながら露光され、プロセサ１６へ搬送される。
【００２６】
プロセサ１６は、現像処理部６０、乾燥処理部６１、振戻部６２、およびソータ６３から構成される。現像処理部６０には、搬送方向の上流側から順に、現像槽７０、漂白定着槽７１と、第１水洗槽７３、第２水洗槽７４、第３水洗槽７５、第４水洗槽７６からなる水洗槽７２とが設けられている。現像槽７０には現像液が、漂白定着槽７１には漂白定着液が、また、第１水洗槽７３〜第４水洗槽７６には洗浄水が、それぞれ所定量貯蔵されており、カット記録紙３４Ｓが、現像槽７０、漂白定着槽７１、および第１水洗槽７３〜第４水洗槽７６内を搬送されることで、現像・定着・洗浄の各処理が行われる。
【００２７】
乾燥処理部６１は各処理槽７０〜７２の上方に配置されており、搬送ベルトと送風ダクトとから構成されている。送風ダクトは搬送ベルトに向けてヒータで熱せられた乾燥風を吹き出して、カット記録紙３４Ｓを搬送ベルト側に押し付ける。この状態で送風ダクトの上を通過させることで、カット記録紙３４Ｓに付着した洗浄水が除去される。そして、乾燥処理部６１を通過したカット記録紙３４Ｓは、プロセサ１６から排出される。
【００２８】
次に、本発明のマガジン５０について詳細に説明する。
【００２９】
マガジン５０は、図２に示すように、マガジン本体としての遮光性の筐体５１を備えている。筐体５１は、収納部材５１Ａ及び開閉部材５１Ｂとで構成されている。収納部材５１Ａは、ロール状に巻かれた感光性記録紙３４を回転可能に保持しつつ収容可能とされている。開閉部材５１Ｂは、図３に示すように、開放位置Ｐ１と閉鎖位置Ｐ２との間を回動可能とされている。開閉部材５１Ｂが開放位置Ｐ１に配置されている時に、感光性記録紙３４を筐体５１内に入れ、または、筐体５１から出すことができるように筐体５１が開放され、開閉部材５１Ｂが閉鎖位置Ｐ２に配置されているときに、筐体５１は外部と遮蔽され、感光性記録紙３４が保護されると共に、筐体５１感光性記録紙３４の巻き出し方向に、出口５０Ａが構成される。
【００３０】
筐体５１には、搬送ローラ対５２、及び、紙粉除去ローラ対５４が取り付けられている。搬送ローラ対５２の一方の搬送ローラ（以下「本体側搬送ローラ５２Ａ」という）は収納部材５１Ａ側に取り付けられ、他方の搬送ローラ（以下「蓋側搬送ローラ５２Ｂ」という）は、開閉部材５１Ｂ側に取り付けられている。また、紙粉除去ローラ対５４の一方の紙粉除去ローラ（以下「本体側紙粉除去ローラ５４Ａ」という）は収納部材５１Ａ側に取り付けられ、他方の紙粉除去ローラ（以下「蓋側紙粉除去ローラ５４Ｂ」という）は、開閉部材５１Ｂ側に取り付けられている。
【００３１】
搬送ローラ対５２と紙粉除去ローラ対５４との間には、感光性記録紙３４の後端を検出するためのセンサ３５が配置されている。
【００３２】
次に、搬送ローラ対５２及び紙粉除去ローラ対５４について説明する。図４には、駆動側の搬送ローラ５２及び紙粉除去ローラ５４のみが示されているが、従動側の搬送ローラ５２及び紙粉除去ローラ５４についても、同様の構成である。
【００３３】
搬送ローラ対５２は、回転軸５３及びニップ部材５５を含んで構成されている。回転軸５３は、感光性記録紙３４の搬送方向Ｄと直交する方向に配置され、ニップ部材５５は、回転軸５３の、感光性記録紙３４を幅方向の端辺Ｈよりも内側で挟持する位置に２個取り付けられている。
【００３４】
紙粉除去ローラ対５４は、回転軸５７及びニップ部材５９を含んで構成されている。回転軸５７は、搬送ローラ対５２の回転軸５３と平行に配置され、ニップ部材５９は、回転軸５７に取り付けられている。ニップ部材５９は、感光性記録紙３４の幅Ｗよりも長尺とされ、感光性記録紙３４を端辺Ｈを含んで挟持可能とされている。
【００３５】
なお、ニップ部材５５、５９は、ＥＰＤＭ等の材料で構成されている。
【００３６】
図２に示すように、収納部材５１Ａには、図示しない駆動源からの駆動を伝達するための駆動シャフト５６が挿通されている。駆動シャフト５６の収納部材５１Ａ内側に部分には、駆動ギア５６Ａが取り付けら、外側には、駆動接続部材５６Ｂが取り付けられている。
【００３７】
一方、収納部材５１Ａ側に取り付けられた本体側搬送ローラ５２Ａ、及び、本体側紙粉除去ローラ５４Ａの各々の回転軸５３、５７には、ギア５３Ｇ、５７Ｇが取り付けられている。ギア５３Ｇ、５７Ｇは、駆動ギア５６Ａと噛み合わされている。これにより、回転軸５３、５７は、図示しない同一の駆動源からの駆動力が、駆動シャフト５６、駆動ギア５６Ａにより伝達され、同期されて感光性記録紙３４をＤ方向へ搬送する方向へ回転する。また、開閉部材５１Ｂ側に取り付けられた蓋側搬送ローラ５２Ｂ、及び、蓋側紙粉除去ローラ５４Ｂの各々は、本体側搬送ローラ５２Ａ、及び、本体側紙粉除去ローラ５４Ａの回転に従動して回転する。
【００３８】
次に、本実施形態のマガジン５０からの感光性記録紙３４の送り出しについて説明する。
【００３９】
感光性記録紙３４をマガジン５０にセットする際には、まず、図３（Ａ）に示すように、開閉部材５１Ｂを開放して開放位置Ｐ１に配置し、感光性記録紙３４を収納部材５１Ａの所定位置に収納する。そして、感光性記録紙３４の先端部分を巻き出し、筐体５１の出口５０Ａの外側まで引き出す。この状態で、図３（Ｂ）に示すように、開閉部材５１Ｂを閉鎖して閉鎖位置Ｐ２に配置する。これにより、感光性記録紙３４が、搬送ローラ対５２及び紙粉除去ローラ対５４により挟持される。
【００４０】
図示しない駆動源からの駆動力により、駆動ギア５６Ａが矢印Ｒ１方向に回転すると、搬送ローラ対５２、紙粉除去ローラ対５４が矢印Ｒ２方向に回転される。そして、感光性記録紙３４が、矢印Ｄ方向に送り出されていく。
【００４１】
このとき、紙粉除去ローラ５４が、紙粉の集中する感光性記録紙３４の端辺Ｈを挟持しているので、感光性記録紙３４に付着している紙粉が紙粉除去ローラ５４に吸着され、感光性記録紙３４から紙粉を取り除くことができる。
【００４２】
また、搬送ローラ対５２は、感光性記録紙３４の端辺Ｈを挟持していないので、搬送ローラ対５２で端辺Ｈを挟持して搬送する場合と比較して、感光性記録紙３４のスキューを起こりにくくすることができる。
【００４３】
さらに、紙粉除去ローラ対５４は、感光性記録紙３４の端辺Ｈを挟持しているが、搬送ローラ対５２よりも搬送方向Ｄの下流側に配置されている。そして、感光性記録紙３４は、搬送ローラ対５２により挟持されて安定した状態で紙粉除去ローラ対５４に挟持されている。したがって、単独の搬送ローラ対５２で感光性記録紙３４の端辺Ｈを挟持する場合と比較して、感光性記録紙３４のスキューを起こりにくくすることができる。
【００４４】
また、本実施形態では、紙粉除去ローラ対５４が、マガジン５０内に配置されているので、感光性記録紙３４の搬送経路の最上流部で紙粉を除去することができ、画像形成装置１０内の紙粉によるトラブルを防止することができる。
【００４５】
また、マガジン５０は開閉可能な開閉部材５１Ｂを有しているので、ユーザーは紙粉除去ローラ対５４に容易にアクセスでき、紙粉除去ローラ対５４に付着した紙粉をクリーニングすることができる。
【００４６】
また、本実施形態では、搬送ローラ対５２及び紙粉除去ローラ対５４が同一の駆動源で駆動されるので、搬送ローラ対５２と紙粉除去ローラ対５４とを同期させることができ、リワインド時も含めて、感光性記録紙３４のジャムを抑制することができる。
【００４７】
特に、リワインド時には、図５（Ｂ）に示すように、感光性記録紙３４の巻きがゆるみ、ジャムになりやすく、また、紙粉除去の必要もないため、紙粉除去ローラ対５４側のニップ圧を小さくする、または、ニップを解放して、搬送ローラ対５２のみを駆動させてもよい。
【００４８】
また、本実施形態によれば、開閉部材５１Ｂの開放時に蓋側搬送ローラ５２Ｂと本体側搬送ローラ５２Ａとが離間され、蓋側紙粉除去ローラ５４Ｂと本体側紙粉除去ローラ５４Ａとが離間されるので、これらのローラに付着した紙粉を容易に取り除くことができる。
【００４９】
なお、本実施形態では、駆動ギア５６Ａにギア５３Ｇ、５７Ｇを噛み合わせることにより、同一の駆動源からの駆動力を搬送ローラ対５２及び紙粉除去ローラ対５４へ伝達したが、図６に示すように、駆動ベルトＢを駆動ベルトローラＢＲ、ベルトローラ５３Ｂ、５７Ｂに掛け渡すことにより、同一駆動源からの駆動力を搬送ローラ対５２及び紙粉除去ローラ対５４へ伝達することもできる。
【００５０】
また、本実施形態では、紙粉除去ローラ対５４のニップ部材５９が、感光性記録紙３４の幅Ｗよりも長尺とされている構成を例に説明したが、ニップ部材５９は感光性記録紙３４の端辺Ｈを挟持可能であれば、必ずしも幅Ｗよりも長尺である必要はない。例えば、図７に示すように、軸方向の中央部が離間されて２つに分かれたニップ部材５９Ａとすることもできる。
【図面の簡単な説明】
【００５１】
【図１】本実施形態の画像形成装置の概略全体図である。
【図２】本実施形態のマガジンの概略構成を示す斜視図である。
【図３】本実施形態のマガジンの、（Ａ）は開放状態を、（Ｂ）は閉鎖状態を示す図である。
【図４】本実施形態の駆動側の搬送ローラ及び紙粉除去ローラを示す図である。
【図５】本実施形態のマガジンの（Ａ）はリワインド前、（Ｂ）はリワインド後の状態を示す図である。
【図６】本実施形態の駆動側の搬送ローラ及び紙粉除去ローラの駆動系の変形例を示す図である。
【図７】本実施形態の駆動側の搬送ローラ及び紙粉除去ローラの変形例を示す図である。
【符号の説明】
【００５２】
１０  画像形成装置
３４  感光性記録紙
５０  マガジン
５１Ｂ  開閉部材
５１Ａ  収納部材
５１  筐体
５２Ｂ  蓋側搬送ローラ
５２  搬送ローラ対
５２Ａ  本体側搬送ローラ
５３Ｇ  ギア
５３Ｂ  ベルトローラ
５３  回転軸
５４Ｂ  蓋側紙粉除去ローラ
５４  紙粉除去ローラ対
５４Ａ  本体側紙粉除去ローラ
５６Ａ  駆動ギア
５６  駆動シャフト
５６Ｂ  駆動接続部材
５７Ｇ  ギア
Ｄ    搬送方向
Ｐ１  開放位置
Ｐ２  閉鎖位置
【図１】
2006235537.tif 000003
【図２】
2006235537.tif 000004
【図３】
2006235537.tif 000005
【図４】
2006235537.tif 000006
【図５】
2006235537.tif 000007
【図６】
2006235537.tif 000008
【図７】
2006235537.tif 000009